(57)【要約】【課題】医用情報の要求側で元医用情報の加工条件を指定可能にすること。【解決手段】実施形態に係る加工情報供給装置は、検索条件受取手段と、加工情報取得手段と、加工情報供給手段とを有する。検索条件受取手段は、外部端末から検索条件を受け取る。加工情報取得手段は、検索条件受取手段が受け取った検索条件に基づいて、元医用情報に対して指定可能な加工条件を表す加工情報を取得する。加工情報供給手段は、加工情報取得手段が取得した加工情報を外部端末に供給する。【選択図】  図１
2019130039.tif 000002
【特許請求の範囲】
【請求項１】
外部端末から検索条件を受け取る検索条件受取手段と、
前記検索条件受取手段が受け取った前記検索条件に基づいて、元医用情報に対して指定可能な加工条件を表す加工情報を取得する加工情報取得手段と、
前記加工情報取得手段が取得した前記加工情報を前記外部端末に供給する加工情報供給手段と、
を備える加工情報供給装置。
【請求項２】
前記加工条件から指定された指定条件を受け取り、当該指定条件に従って前記元医用情報を加工して加工医用情報を生成する加工手段をさらに備える、
請求項１に記載の加工情報供給装置。
【請求項３】
前記検索条件受取手段および前記加工情報供給手段を備える第１の装置と、
前記加工情報取得手段および前記加工手段を備える第２の装置と、を備え、
前記第２の装置の前記加工情報取得手段は、前記第１の装置の前記検索条件受取手段から前記検索条件を受け取り、当該検索条件に基づいて前記加工情報を取得し、
前記第１の装置の前記加工情報供給手段は、前記第２の装置の前記加工情報取得手段から前記加工情報を受け取り、当該加工情報を前記外部端末に供給し、
前記第２の装置の前記加工手段は、前記加工条件から指定された指定条件を受け取り、当該指定条件に従って前記元医用情報を加工して前記加工医用情報を生成する、
請求項２に記載の加工情報供給装置。
【請求項４】
前記検索条件受取手段、前記加工情報取得手段および前記加工情報供給手段を備える第１の装置と、
前記加工手段を備える第２の装置と、を備え、
前記第１の装置の前記加工情報取得手段は、前記検索条件受取手段が受け取った前記検索条件に基づいて前記加工情報を取得し、前記加工情報供給手段は、前記加工情報取得手段が取得した前記加工情報を前記外部端末に供給し、
前記第２の装置の前記加工手段は、前記加工条件から指定された指定条件を受け取り、当該指定条件に従って前記元医用情報を加工して前記加工医用情報を生成する、
請求項２に記載の加工情報供給装置。
【請求項５】
前記第１の装置は、前記元医用情報が記憶された管理装置であり、
前記第２の装置は、前記元医用情報を加工する加工装置である、
請求項３又は４に記載の加工情報供給装置。
【請求項６】
前記加工装置は、前記元医用情報を生成し、前記元医用情報を加工して前記加工医用情報を生成する画像生成装置である、
請求項５に記載の加工情報供給装置。
【請求項７】
前記加工装置は、前記元医用情報を生成する画像生成装置から前記元医用情報を受け取り、前記元医用情報を加工して前記加工医用情報を生成する画像処理装置である、
請求項５に記載の加工情報供給装置。
【請求項８】
前記加工条件は、前記元医用情報に対して施すことが可能な再構成条件である、
請求項１乃至７のうちいずれか一項に記載の加工情報供給装置。
【請求項９】
前記加工条件は、前記元医用情報に対して施すことが可能な解析条件である、
請求項１乃至７のうちいずれか一項に記載の加工情報供給装置。
【請求項１０】
処理部が、
外部端末から受け取った検索条件に基づいて、元医用情報に対して指定可能な加工条件を表す加工情報を取得し、
取得した前記加工情報を前記外部端末に供給する、
加工情報供給方法。
【請求項１１】
検索条件を設定する外部端末と、
請求項１乃至９のうちいずれか一項に記載の加工情報供給装置と、
を有する加工情報供給システム。
【請求項１２】
前記外部端末は、第２の元医用情報を生成し、前記第２の元医用情報を加工して第２の加工医用情報を生成する第２の画像生成装置と、前記第２の加工医用情報を受け取り、前記第２の加工医用情報に前記加工医用情報を重畳した重畳画像データを生成する第２の画像処理装置とを設け、
前記第２の画像生成装置は、前記重畳画像データを重畳画像として表示部に表示する、
請求項１１に記載の加工情報供給システム。
【発明の詳細な説明】
【技術分野】
【０００１】
本発明の実施形態は、加工情報供給装置、加工情報供給方法、及び加工情報供給システムに関する。
【背景技術】
【０００２】
昨今、Ｒａｗデータ（生データ）を中心としたプラットフォームが主流となりつつある。今後は、装置、臨床ワークステーション、画像サーバで管理されるデータは、ＤＩＣＯＭ（Digital Imaging and COmmunications in Medicine）画像ではなく生データになることが予想される。特許文献１には、外部からの要求に応じて、ＤＩＣＯＭ画像を要求元に供給する装置が開示されている。しかし、この装置では、要求元の要求に合致しないＤＩＣＯＭ画像が供給されることがある。
【先行技術文献】
【特許文献】
【０００３】
【特許文献１】特開２００３−２９６４６１号公報
【発明の概要】
【発明が解決しようとする課題】
【０００４】
本発明が解決しようとする課題は、医用情報の要求側で元医用情報の加工条件を指定可能にすることである。
【課題を解決するための手段】
【０００５】
実施形態に係る加工情報供給装置は、検索条件受取手段と、加工情報取得手段と、加工情報供給手段とを有する。検索条件受取手段は、外部端末から検索条件を受け取る。加工情報取得手段は、検索条件受取手段が受け取った検索条件に基づいて、元医用情報に対して指定可能な加工条件を表す加工情報を取得する。加工情報供給手段は、加工情報取得手段が取得した加工情報を外部端末に供給する。
【図面の簡単な説明】
【０００６】
【図１】図１は、第１の実施形態に係る加工情報供給装置及び加工情報供給システムの構成を示す概略図。
【図２】図２は、第１の実施形態に係る加工情報供給装置及び加工情報供給システムの動作をフローチャートとして示す図。
【図３】図３は、第１の実施形態に係る加工情報供給装置及び加工情報供給システムにおける加工情報のリストの一例を示す図。
【図４】図４は、第１の実施形態に係る加工情報供給装置及び加工情報供給システムにおける加工情報の種類の一例を示す図。
【図５】図５は、第２の実施形態に係る加工情報供給装置及び加工情報供給システムの構成を示す概略図。
【図６】図６は、第２の実施形態に係る加工情報供給装置及び加工情報供給システムの動作をフローチャートとして示す図。
【図７】図７は、第３の実施形態に係る加工情報供給装置及び加工情報供給システムの構成を示す概略図。
【図８】図８は、第３の実施形態に係る加工情報供給装置及び加工情報供給システムの動作をフローチャートとして示す図。
【図９】図９は、第２及び第３の実施形態に係る加工情報供給装置及び加工情報供給システムの適用例を示す概略図。
【図１０】図１０は、第２及び第３の実施形態に係る加工情報供給装置及び加工情報供給システムにおいて、要求装置での表示例を示す図。
【図１１】図１１は、第４の実施形態に係る加工情報供給装置及び加工情報供給システムの構成を示す概略図。
【図１２】図１２は、第４の実施形態に係る加工情報供給装置及び加工情報供給システムの動作をフローチャートとして示す図。
【図１３】図１３は、第５の実施形態に係る加工情報供給装置及び加工情報供給システムの構成を示す概略図。
【図１４】図１４は、第５の実施形態に係る加工情報供給装置及び加工情報供給システムの動作をフローチャートとして示す図。
【図１５】図１５は、第１の実施形態に係る加工情報供給システムを一部変形したシステムの構成を示す概略図。
【図１６】図１６は、第１の実施形態に係る加工情報供給システムを一部変形したシステムにおいて、検査目的と検査ＩＤとを対応付けるテーブルを示す図。
【図１７】図１７は、第１の実施形態に係る加工情報供給システムを一部変形したシステムにおいて、検査ＩＤとリストの送信先（利用場所）とを対応付けるテーブルを示す図。
【発明を実施するための形態】
【０００７】
以下、図面を参照しながら、加工情報供給装置、加工情報供給方法、及び加工情報供給システムの実施形態について詳細に説明する。
【０００８】
（第１の実施形態）
図１は、第１の実施形態に係る加工情報供給システム１を示す。加工情報供給システム１は、要求装置１１と、第１の実施形態に係る加工情報供給装置１２とを備える。要求装置１１及び加工情報供給装置１２は、病院基幹のＬＡＮ（Local Area Network）等のネットワークＮを介して通信可能に接続される。要求装置１１及び加工情報供給装置１２の間の通信プロトコルは、ＤＩＣＯＭ（Digital Imaging and Communications in Medicine）規格によって定義される。
【０００９】
要求装置１１は、処理部、記憶部、入力部、表示部、及び通信部を備える。
【００１０】
加工情報供給装置１２は、処理部２１、記憶部２２、入力部２３、表示部２４、及び通信部２５を備える。
【００１１】
処理部２１は、記憶部２２に記憶された、プログラムを読み出して実行することにより、加工情報供給装置１２の各コンポーネントを統括制御するためのプロセッサである。処理部２１がプログラムを実行することにより機能３１〜３３を実現する。機能３１〜３３の詳細については後述する。
【００１２】
記憶部２２は、ＲＡＭ（Random Access Memory）、フラッシュメモリ（Flash Memory）等の半導体メモリ素子、ハードディスク、光ディスク等の、プロセッサにより読み取り可能な記録媒体によって構成される。記憶部２２は、ＵＳＢ（Universal Serial Bus）メモリ、ＤＶＤ（Digital Video Disk）等の可搬型メディアによって構成されてもよい。記憶部２２は、処理部２１によって実行される各種処理プログラム（アプリケーションプログラムの他、ＯＳ（Operating System）等も含まれる）や、プログラムの実行に必要なデータ等を記憶する記憶回路である。また、ＯＳに、読影者等の操作者に対する表示部２４への情報の表示にグラフィックを多用し、基礎的な操作を入力部２３によって行うことができるＧＵＩ（Graphical User Interface）を含めることもできる。
【００１３】
記憶部２２は、医用画像データの元となる元データと、加工可能条件とを記憶する。ここで、元データとは、医用画像データに加工される前のデータ全般を指す。元データの一例として、生データが挙げられる。加工可能条件とは、元データに対して指定可能な条件である。
【００１４】
入力部２３は、操作者によって操作が可能な入力デバイスからの信号を入力する回路と、入力デバイスとを含む。入力デバイスは、トラックボール、スイッチ、マウス、キーボード、走査面に触れることで入力操作を行うタッチパッド、表示画面とタッチパッドとが一化されたタッチスクリーン、光学センサを用いた非接触入力回路、音声入力回路等によって実現される。操作者により入力デバイスが操作されると、入力部２３はその操作に応じた入力信号を生成して処理部２１に出力する。
【００１５】
表示部２４は、液晶ディスプレイパネル、プラズマディスプレイパネル、有機ＥＬ（Electro Luminescence）パネル等の表示デバイスである。表示部２４は、処理部２１の制御に従って記憶部２２から読み出された画像データを画像として表示する。
【００１６】
通信部２５は、パラレル接続仕様やシリアル接続仕様に合わせたコネクタによって構成される。通信部２５は、各規格に応じた通信制御を行い、電話回線等を通じてネットワークＮに接続することができる機能を有する。これにより、通信部２５は、加工情報供給装置１２をネットワークに接続させることができる。
【００１７】
処理部２１が記憶部２２に記憶されたプログラムを実行することによって、処理部２１は、検索条件受取機能３１、加工情報取得機能３２、及び加工情報供給機能３３を実現する。なお、機能３１〜３３がソフトウェアとして機能する場合を例に挙げて説明するが、機能３１〜３３の一部又は全部は、ＡＳＩＣ等の回路として設けられるものであってもよい。
【００１８】
検索条件受取機能３１は、外部端末、例えば、要求装置１１で設定された検索条件を受け取る機能である。なお、検索条件受取機能３１は、検索条件受取手段の一例である。
【００１９】
加工情報取得機能３２は、検索条件受取機能３１によって受け取られた検索条件に基づいて、元医用情報に対して指定可能な加工条件を表す加工情報を取得する機能である。具体的には、加工情報取得機能３２は、検索条件に基づいて、元医用情報としての生データと当該生データに対して指定可能な加工可能条件とを含む加工情報をリストとして生成する。加工情報は、画像に関するデータ以外、例えば読影レポート等を含んでもよい。加工可能条件は、再構成可能条件のパラメータや、ＣＡＤ（Computer-Aided Design）における解析可能条件のパラメータ等を含む。なお、加工情報取得機能３２は、加工情報取得手段の一例である。
【００２０】
加工情報供給機能３３は、加工情報取得機能３２によって生成された加工情報のリストを要求装置１１に供給する機能である。なお、加工情報供給機能３３は、加工情報供給手段の一例である。
【００２１】
続いて、加工情報供給システム１の動作について図２を用いて説明する。図２において、ＳＴに数字を付した符号はフローチャートの各ステップを示す。
【００２２】
加工情報供給装置１２の検索条件受取機能３１は、ＤＩＣＯＭ＿問い合わせ／検索サービス（Query/Retrieve service）を用いて、要求装置１１で設定された検索条件を、ネットワークＮを介して受け取る（ステップＳＴ１）。ＤＩＣＯＭ＿問い合わせ／検索サービスでは、患者ＩＤ（Identification）、患者名、検査日（画像生成日）、画像生成装置、シリーズ等（図３に図示）をキーとした検索が行われる。
【００２３】
加工情報取得機能３２は、ステップＳＴ１によって受け取られた検索条件に基づいて、生データと当該生データに対して指定可能な加工可能条件とを含む加工情報のリストを生成する（ステップＳＴ２）。
【００２４】
図３に示すように、加工情報のリストは、検索条件によりヒットした患者ＩＤ、患者名、検査日（画像生成日）、画像生成装置、及びシリーズと、加工可能条件とを含む。加工可能条件の一例を、図４に示す。
【００２５】
図２の説明に戻って、加工情報供給機能３３は、ステップＳＴ２によって生成された加工情報のリスト（例えば、図３に図示）を、ネットワークＮを介して要求装置１１に供給する（ステップＳＴ３）。
【００２６】
以上説明したように、第１の実施形態によれば、要求装置１１から受け取った検索条件に基づいて、生データと生データに対して指定可能な加工可能条件とを含む加工情報のリストを要求装置１１に提供する。これにより、要求装置１１（医用情報の受け取り側）で、加工可能条件の中から、医用情報の加工条件を指定できる。
【００２７】
（第２の実施形態）
第１の実施形態では、一の装置によって加工情報供給装置１２を構成する例を説明したが、第２の実施形態では、複数の装置によって加工情報供給装置１２を構成する例を説明する。図５は、第２の実施形態に係る加工情報供給システム１Ａを示す。加工情報供給システム１Ａは、要求装置１１と、加工情報供給装置１２とを備える。要求装置１１及び加工情報供給装置１２は、病院基幹のＬＡＮ等のネットワークＮを介して通信可能に接続される。
【００２８】
加工情報供給装置１２は、生データを記憶する管理装置（ＤＩＣＯＭサーバ）１２Ａと、加工データ、例えば、医用画像データを生成する加工装置１２Ｂとを備える。管理装置１２Ａは、処理部２１Ａ、記憶部２２Ａ、入力部２３Ａ、表示部２４Ａ、及び通信部２５Ａを備える。また、加工装置１２Ｂは、処理部２１Ｂ、記憶部２２Ｂ、入力部２３Ｂ、表示部２４Ｂ、及び通信部２５Ｂを備える。加工装置１２Ｂは、元医用情報としての生データを生成し、生データを加工して医用画像データを生成する画像生成装置、又は、生データを生成する画像生成装置から生データを受け取り、生データを加工して医用画像データを生成する画像処理装置（ワークステーション）である。
【００２９】
加工情報供給システム１Ａの特徴的な構成は、管理装置１２Ａの記憶部２２Ａが元医用画像データとしての生データを記憶し、加工装置１２Ｂの記憶部２２Ｂが加工可能条件としての再構成可能条件を記憶する点である。例えば、Ｘ線ＣＴ（Computed Tomography）装置が生成する生データは、データ収集回路（ＤＡＳ：Data Acquisition System）から出力されたデータや、そのデータに対して補正処理等の前処理が施されたデータ等である。また、ＭＲＩ（Magnetic Resonance Imaging）装置が生成する生データは、ＲＦ（Radio Frequency）コイルから出力されたフーリエ変換前のデータ等である。また、再構成可能条件とは、生データに対して施すことが可能な再構成条件を指す（例えば、図４に図示）。
【００３０】
管理装置１２Ａの処理部２１Ａは、記憶部２２Ａに記憶されたプログラムを実行することによって、検索条件受取機能３１、加工情報取得機能３２、及び加工情報供給機能３３を実現する。なお、機能３１〜３３がソフトウェアとして機能する場合を例に挙げて説明するが、機能３１〜３３の一部又は全部は、ＡＳＩＣ等の回路でもよい。
【００３１】
加工装置１２Ｂの処理部２１Ｂは、記憶部２２Ｂに記憶されたプログラムを実行することによって、加工機能３４を実現する。なお、加工装置１２Ｂの機能３４がソフトウェアとして機能する場合を例に挙げて説明するが、機能３４は、ＡＳＩＣ等の回路でもよい。図５において、図１に示す機能と同一機能については同一符号を付して説明を省略する。
【００３２】
加工機能３４は、加工可能条件から指定された加工条件（指定条件）を受け取り、加工条件に従って元医用情報を加工して加工医用情報を生成する機能である。具体的には、加工機能３４は、加工情報のリストに含まれる再構成可能条件のうち要求装置１１によって設定された条件を再構成条件として受信し、生データを再構成条件に従って加工して加工医用情報である医用画像データを生成し、医用画像データを要求装置１１に供給する機能である。なお、加工機能３４は、加工手段の一例である。
【００３３】
続いて、加工情報供給システム１Ａの動作について図６を用いて説明する。要求装置１２Ａの検索条件受取機能３１は、ＤＩＣＯＭ＿問い合わせ／検索サービスを用いて、要求装置１１で設定された検索条件を、ネットワークＮを介して受け取る（ステップＳＴ１１）。加工情報取得機能３２は、ステップＳＴ１１によって受け取られた検索条件に対応した再構成可能条件を加工装置１２Ｂに問い合わせる（ステップＳＴ１２）。
【００３４】
加工装置１２Ｂは、ステップＳＴ１２の問い合わせに応じた再構成可能条件を送信する（ステップＳＴ１３）。加工情報取得機能３２は、ステップＳＴ１３によって送信された再構成可能条件を受信し、受信された再構成可能条件に基づいて、要求された医用画像データの元となる生データと当該生データに対して指定可能な再構成可能条件とを含む加工情報のリストを生成する（ステップＳＴ１４）。
【００３５】
加工情報供給機能３３は、ステップＳＴ１４によって生成された加工情報のリスト（例えば、図３に図示）を、ネットワークＮを介して要求装置１１に供給する（ステップＳＴ１５）。要求装置１１は、ステップＳＴ１５によって供給された加工情報のリストから任意の再構成可能条件を、再構成条件として設定する（ステップＳＴ１６）。要求装置１１は、要求装置１１の入力部（図示省略）を介したユーザの操作に従って、再構成条件を設定する。
【００３６】
ステップＳＴ１６による再構成条件の設定の際、要求装置１１は、送信されたリストのうち所定の再構成可能条件を指定するための指定画面を表示してもよい。その場合、要求装置１１は、指定された再構成可能条件のパラメータ入力画面を表示することで、要求装置１１の操作者は、当該再構成可能条件のパラメータ値を設定可能である。また、要求装置１１は、過去に使用したパラメータ値を内部に保存しておき、同一のリスト内容であれば最終のパラメータ値をデフォルトとして使用することもできる。さらに、要求装置１１は、指定画面上で、最終のパラメータ値が存在する再構成可能条件と、存在しない再構成可能条件とで表示形態を変えて表示してもよい。最終のパラメータ値が存在する再構成可能条件が指定された場合、要求装置１１は、パラメータ入力画面を表示せず、最終のパラメータ値を再構成可能条件のパラメータ値として設定することができる。一方で、最終のパラメータ値が存在しない再構成可能条件が指定された場合、要求装置１１は、再構成可能条件のパラメータ入力画面を表示する。
【００３７】
要求装置１１は、ステップＳＴ１６によって設定された再構成条件を、ネットワークＮを介して管理装置１２Ａに送信する（ステップＳＴ１７）。加工情報供給機能３３は、ステップＳＴ１７によって送信された再構成条件を受信し、その再構成条件と生データとを、ネットワークＮを介して加工装置１２Ｂに送信する（ステップＳＴ１８）。加工装置１２Ｂの加工機能３４は、ステップＳＴ１８によって送信された生データ及び再構成条件を受信し、生データを再構成条件に従って加工して医用画像データを生成する（ステップＳＴ１９）。
【００３８】
加工機能３４は、ステップＳＴ１９によって生成された医用画像データを、ネットワークＮを介して管理装置１２Ａに送信する（ステップＳＴ２０）。加工情報供給機能３３は、ステップＳＴ２０によって送信された医用画像データを、ネットワークＮを介して要求装置１１に送信する（ステップＳＴ２１）。なお、加工機能３４は、ステップＳＴ１９によって生成された医用画像データを、ネットワークＮを介して直接的に要求装置１１に送信してもよい。
【００３９】
なお、図６において、ステップＳＴ１１により要求装置１１から検索条件を受け取る装置と、ステップＳＴ１７により要求装置１１から再構成条件を受信する装置とは異なる装置であってもよい。例えば、ステップＳＴ１１により要求装置１１から管理装置１２Ａが検索条件を受け取る一方で、ステップＳＴ１７により要求装置１１から加工装置１２Ｂが再構成条件を受信する。その場合、ステップＳＴ１８により管理装置１２Ａから生データのみが加工装置１２Ｂに送信される。
【００４０】
以上説明したように、第２の実施形態によれば、生データを記憶する装置と、加工可能条件を記憶する装置とから加工情報供給装置１２を構成し、装置の協働により加工情報のリストを要求装置１１に提供する。要求装置１１側は、生データの加工を行う装置の所在を知らなくても、生データを保管している管理装置１２Ａに加工情報のリストの要求を行うだけで加工情報のリストを受け取ることができ、要求装置１１（医用情報の受け取り側）で医用情報の再構成条件を指定できる。
【００４１】
（第３の実施形態）
第２の実施形態では、管理装置１２Ａ側が生データを保有する一方で加工装置１２Ｂ側が再構成可能条件を保有する例について説明した。第３の実施形態では、管理装置１２Ｃ側が生データ及び再構成可能条件の両方を保有する例について説明する。図７は、第３の実施形態に係る加工情報供給システム１Ｃを示す。加工情報供給システム１Ｃは、要求装置１１と、加工情報供給装置１２とを備える。要求装置１１及び加工情報供給装置１２は、病院基幹のＬＡＮ等のネットワークＮを介して通信可能に接続される。
【００４２】
加工情報供給装置１２は、生データを記憶する管理装置１２Ｃと、加工データを生成する加工装置１２Ｄとを備える。管理装置１２Ｃは、処理部２１Ｃ、記憶部２２Ｃ、入力部２３Ｃ、表示部２４Ｃ、及び通信部２５Ｃを備える。また、加工装置１２Ｄは、処理部２１Ｄ、記憶部２２Ｄ、入力部２３Ｄ、表示部２４Ｄ、及び通信部２５Ｄを備える。
【００４３】
加工情報供給システム１Ｃの特徴的な構成は、管理装置１２Ｃの記憶部２２Ｃが生データと、加工可能条件としての再構成可能条件との両方を記憶する点である。
【００４４】
管理装置１２Ｃの処理部２１Ｃは、記憶部２２Ｃに記憶されたプログラムを実行することによって、検索条件受取機能３１、加工情報取得機能３２、及び加工情報供給機能３３を実現する。なお、機能３１〜３３は、ソフトウェアにより実現する場合を例に挙げて説明するが、機能３１〜３３の一部又は全部は、ＡＳＩＣ等の回路により実現されてもよい。
【００４５】
加工装置１２Ｄの処理部２１Ｄは、記憶部２２Ｄに記憶されたプログラムを実行することによって、加工機能３４を実現する。なお、機能３４は、ソフトウェアにより実現する例を説明するが、ＡＳＩＣ等の回路により実現されてもよい。図７において、図１に示す機能と同一機能については同一符号を付して説明を省略する。
【００４６】
続いて、加工情報供給システム１Ｃの動作について図８を用いて説明する。管理装置１２Ｃの加工情報取得機能３２は、ステップＳＴ１１によって受け取られた検索条件に対応した再構成可能条件に基づいて、要求された医用画像データの元となる生データと当該生データに対して指定可能な再構成可能条件とを含む加工情報のリストを生成する（ステップＳＴ１４）。
【００４７】
なお、図８において、ステップＳＴ１１により要求装置１１から検索条件を受け取る装置と、ステップＳＴ１７により要求装置１１から再構成条件を受信する装置とは異なる装置であってもよい。例えば、ステップＳＴ１１により要求装置１１から管理装置１２Ｃが検索条件を受け取る一方で、ステップＳＴ１７により要求装置１１から加工装置１２Ｄが再構成条件を受信する。その場合、ステップＳＴ１８により管理装置１２Ｃから生データのみが加工装置１２Ｂに送信される。
【００４８】
以上説明したように、第３の実施形態によれば、要求装置１１は、再構成可能条件から任意の再構成条件を設定することができる。要求装置１１側は、生データの加工を行う装置の所在を知らなくても、生データを保管している管理装置１２Ｃに加工情報のリストの要求を行うだけで加工情報のリストを受け取ることができ、要求装置１１（医用情報の受け取り側）で医用情報の再構成条件を指定できる。
【００４９】
（第２及び第３の実施形態の適用例）
図９は、第２の実施形態に係る加工情報供給システム１Ａ（加工情報供給システム１Ｃについても同様）を示す。加工情報供給システム１Ａは、要求装置１１と、第２の実施形態に係る加工情報供給装置１２とを備える。要求装置１１及び加工情報供給装置１２は、病院基幹のＬＡＮ等のネットワークＮを介して通信可能に接続される。
【００５０】
要求装置１１は、医用画像を生成可能な加工装置（例えば、アンギオ装置）１１Ａと、医用画像データに重畳処理等を施す画像処理装置（ワークステーション）１１Ｂとを備える。
【００５１】
加工情報供給装置１２は、生データを記憶する管理装置１２Ａと、医用画像データを生成可能な加工装置（例えば、超音波診断装置）１２Ｂとを備える。管理装置１２Ａ及び超音波診断装置１２Ｂはそれぞれ、コンピュータとしての基本構成を備える（図示省略）。
【００５２】
アンギオ装置１１Ａ又は画像処理装置１１Ｂが設定した検索条件を、ネットワークＮを介して管理装置１２Ａに送信する。超音波診断装置１２Ｂは、医用画像データ、例えば、機能画像データを生成して画像処理装置１１Ｂに送信する。画像処理装置１１Ｂは、アンギオ装置１１Ａによって生成されたＸ線画像データ上の対応する位置に、送信された機能画像データを重畳して重畳画像データを生成する。画像処理装置１１Ｂは、重畳画像データを重畳画像（図１０の機能画像Ｈを含む）としてアンギオ装置１１１Ａの表示部に表示することができる。例えば、機能画像データは、心臓のＷＭＴ（Wall Motion Tracking）によって超音波診断装置１２Ｂで生成される２Ｄ又は３Ｄの画像データである。
【００５３】
（第４の実施形態）
第２の実施形態では、加工装置１２Ｂ側が再構成可能条件を保有する例について説明した。第４の実施形態では、加工装置１２Ｆ側が再構成可能条件の代わりに解析可能条件を保有する例について説明する。図１１は、第４の実施形態に係る加工情報供給システム１Ｅを示す。加工情報供給システム１Ｅは、要求装置１１と、加工情報供給装置１２とを備える。要求装置１１及び加工情報供給装置１２は、病院基幹のＬＡＮ等のネットワークＮを介して通信可能に接続される。
【００５４】
加工情報供給装置１２は、生データを記憶する管理装置１２Ｅと、加工データを生成可能な画像処理装置１２Ｆとを備える。管理装置１２Ｅは、処理部２１Ｅ、記憶部２２Ｅ、入力部２３Ｅ、表示部２４Ｅ、及び通信部２５Ｅを備える。また、画像処理装置１２Ｆは、処理部２１Ｆ、記憶部２２Ｆ、入力部２３Ｆ、表示部２４Ｆ、及び通信部２５Ｆを備える。
【００５５】
加工情報供給装置１２の特徴的な構成は、管理装置１２Ｅの記憶部２２Ｅが生データを記憶し、処理装置１２Ｆの記憶部１２Ｆが加工可能条件としての、ＣＡＤにおける解析可能条件を記憶する点である。ここで、解析可能条件とは、生データに対して施すことが可能な解析条件を指す。
【００５６】
管理装置１２Ｅの処理部２１Ｅは、記憶部２２Ｅに記憶されたプログラムを実行することによって、検索条件受取機能３１、加工情報取得機能３２、及び加工情報供給機能３３を実現する。なお、機能３１〜３３がソフトウェアとして機能する場合を例に挙げて説明するが、機能３１〜３３の一部又は全部は、管理装置１２ＥにＡＳＩＣ等の回路でもよい。
【００５７】
処理装置１２Ｆの処理部２１Ｆは、記憶部２２Ｆに記憶されたプログラムを実行することによって、加工機能３４を実現する。なお、画像処理装置１２Ｆの機能３４がソフトウェアとして機能する場合を例に挙げて説明するが、機能３４は、ＡＳＩＣ等の回路でもよい。図１１において、図１に示す機能と同一機能については同一符号を付して説明を省略する。
【００５８】
続いて、加工情報供給システム１Ｅの動作について図１２を用いて説明する。要求装置１２Ｅの検索条件受取機能３１は、ＤＩＣＯＭ＿問い合わせ／検索サービスを用いて、外部端末、例えば、要求装置１１で設定された検索条件を、ネットワークＮを介して受け取る（ステップＳＴ３１）。加工情報取得機能３２は、ステップＳＴ３１によって受け取られた検索条件に対応した解析可能条件を画像処理装置１２Ｆに問い合わせる（ステップＳＴ３２）。解析可能条件は、画像処理装置１２Ｆの記憶部２２Ｆに記憶されているからである。
【００５９】
画像処理装置１２Ｆは、ステップＳＴ３２の問い合わせに応じた解析可能条件を送信する（ステップＳＴ３３）。加工情報取得機能３２は、ステップＳＴ３３によって送信された解析可能条件を受信し、解析可能条件に基づいて、要求された医用画像データの元となる生データと当該生データに対して指定可能な解析可能条件とを含む加工情報のリストを生成する（ステップＳＴ３４）。
【００６０】
加工情報供給機能３３は、ステップＳＴ３４によって生成された加工情報のリスト（例えば、図３に図示）を、ネットワークＮを介して要求装置１１に供給する（ステップＳＴ３５）。要求装置１１は、ステップＳＴ３５によって供給された加工情報のリストから任意の解析可能条件を、解析条件として設定する（ステップＳＴ３６）。
【００６１】
ステップＳＴ３６による解析条件の設定の際、要求装置１１は、送信されたリストのうち所定の解析可能条件を指定するための指定画面を表示してもよい。その場合、要求装置１１は、指定された解析可能条件のパラメータ入力画面を表示することで、要求装置１１の操作者は、当該解析可能条件のパラメータ値を設定可能である。また、要求装置１１は、過去に使用したパラメータ値を内部に保存しておき、同一のリスト内容であれば最終のパラメータ値をデフォルトとして使用することもできる。さらに、要求装置１１は、指定画面上で、最終のパラメータ値が存在する解析可能条件と、存在しない解析可能条件とで表示形態を変えて表示してもよい。その場合、最終のパラメータ値が存在する解析可能条件が指定された場合、要求装置１１は、パラメータ入力画面を表示せず、最終のパラメータ値を解析可能条件のパラメータ値として設定することができる。一方で、最終のパラメータ値が存在しない解析可能条件が指定された場合、要求装置１１は、解析可能条件のパラメータ入力画面を表示する。
【００６２】
要求装置１１は、要求装置１１の入力部（図示省略）を介したユーザの操作に従って、解析条件を設定する。要求装置１１は、ステップＳＴ３６によって設定された解析条件を、ネットワークＮを介して管理装置１２Ｅに送信する（ステップＳＴ３７）。加工情報供給機能３３は、ステップＳＴ３７によって送信された解析条件を受信し、その解析条件と生データとを、ネットワークＮを介して画像処理装置１２Ｆに送信する（ステップＳＴ３８）。画像処理装置１２Ｆの加工機能３４は、ステップＳＴ３８によって送信された生データ及び解析条件を受信し、生データを解析条件に従って加工して医用画像データを生成する（ステップＳＴ３９）。
【００６３】
加工機能３４は、ステップＳＴ３９によって生成された医用画像データを、ネットワークＮを介して管理装置１２Ｅに送信する（ステップＳＴ４０）。加工情報供給機能３３は、ステップＳＴ４０によって送信された医用画像データを、ネットワークＮを介して要求装置１１に送信する（ステップＳＴ４１）。なお、加工機能３４は、ステップＳＴ３９によって生成された医用画像データを、ネットワークＮを介して直接的に要求装置１１に送信してもよい。また、ステップＳＴ３９において、加工機能３４が、画像処理装置１２Ｆが乳房専用のＸ線撮影装置（マンモグラフィ）により生成された複数のＸ線画像データを生成する場合、加工機能３４は、複数のＸ線画像データの生成順に順次複数のＸ線画像データを管理装置１２Ｅ又は要求装置１１に送信することもできる。
【００６４】
なお、図１２において、ステップＳＴ３１により要求装置１１から検索条件を受け取る装置と、ステップＳＴ３７により要求装置１１から解析条件を受信する装置とは異なる装置であってもよい。例えば、ステップＳＴ３１により要求装置１１から管理装置１２Ｅが検索条件を受け取る一方で、ステップＳＴ３７により要求装置１１から画像処理装置１２Ｆが解析条件を受信する。その場合、ステップＳＴ３８により管理装置１２Ｅから生データのみが画像処理装置１２Ｆに送信される。
【００６５】
以上説明したように、第４の実施形態によれば、生データを記憶する装置と、加工可能条件を記憶する装置とから加工情報供給装置１２を構成し、装置の協働により加工情報のリストを要求装置１１に提供する。要求装置１１側は、生データの加工を行う装置の所在を知らなくても、生データを保管している管理装置１２Ｅに加工情報のリストの要求を行うだけで加工情報のリストを受け取ることができ、要求装置１１（医用情報の受け取り側）で医用情報の解析条件を指定できる。
【００６６】
（第５の実施形態）
第４の実施形態では、管理装置１２Ｅ側が生データを保有する一方で加工装置１２Ｆ側が解析可能条件を保有する例について説明した。第５の実施形態では、管理装置１２Ｇ側が生データ及び解析可能条件の両方を保有する例について説明する。図１３は、第５の実施形態に係る加工情報供給システム１Ｇを示す。加工情報供給システム１Ｇは、要求装置１１と、加工情報供給装置１２とを備える。要求装置１１及び加工情報供給装置１２は、病院基幹のＬＡＮ等のネットワークＮを介して通信可能に接続される。
【００６７】
加工情報供給装置１２は、生データを記憶する管理装置１２Ｇと、加工データを生成可能な処理装置１２Ｈとを備える。管理装置１２Ｇは、処理部２１Ｇ、記憶部２２Ｇ、入力部２３Ｇ、表示部２４Ｇ、及び通信部２５Ｇを備える。また、処理装置１２Ｈは、処理部２１Ｈ、記憶部２２Ｈ、入力部２３Ｈ、表示部２４Ｈ、及び通信部２５Ｈを備える。
【００６８】
加工情報供給装置１２Ｅの特徴的な構成は、管理装置１２Ｇの記憶部２２Ｇが生データ及び解析可能条件の両方を記憶する点である。
【００６９】
管理装置１２Ｇの処理部２１Ｇは、記憶部２２Ｇに記憶されたプログラムを実行することによって、検索条件受取機能３１、加工情報取得機能３２、及び加工情報供給機能３３を実現する。なお、機能３１〜３３は、ソフトウェアにより実現する例を説明するが、機能３１〜３３の一部又は全部は、ＡＳＩＣ等の回路により実現されてもよい。
【００７０】
画像処理装置１２Ｈの処理部２１Ｈが記憶部２２Ｈに記憶されたプログラムを実行することによって、画像処理装置１２Ｈは、加工機能３４を実現する。なお、機能３４は、ソフトウェアにより実現される例を説明するが、ＡＳＩＣ等の回路により実現されてもよい。図１３において、図１に示す機能と同一機能については同一符号を付して説明を省略する。
【００７１】
続いて、加工情報供給システム１Ｇの動作について図１４を用いて説明する。加工情報取得機能３２は、ステップＳＴ３１によって受け取られた検索条件に対応した解析可能条件に基づいて、要求された医用画像データの元となる生データと当該生データに対して指定可能な解析可能条件とを含む加工情報のリストを生成する（ステップＳＴ３４）。
【００７２】
なお、図１４において、ステップＳＴ３１により要求装置１１から検索条件を受け取る装置と、ステップＳＴ３７により要求装置１１から解析条件を受信する装置とは異なる装置であってもよい。例えば、ステップＳＴ３１により要求装置１１から管理装置１２Ｇが検索条件を受け取る一方で、ステップＳＴ３７により要求装置１１から画像処理装置１２Ｈが解析条件を受信する。その場合、ステップＳＴ３８により管理装置１２Ｇから生データのみが画像処理装置１２Ｈに送信される。
【００７３】
以上説明したように、第５の実施形態によれば、生データに対して可能な解析可能条件を含むリストを要求装置１１に提供することができる。また、要求装置１１は、解析可能条件から任意の解析条件を設定することができる。要求装置１１側は、生データの加工を行う装置の所在を知らなくても、生データを保管している管理装置１２Ｇに加工情報のリストの要求を行うだけで加工情報のリストを受け取ることができ、要求装置１１（医用情報の受け取り側）で医用情報の解析条件を指定できる。
【００７４】
（加工可能情報のリストの送信先を特定する方法）
前述した加工情報供給機能３３は、事前に要求のあった要求装置１１に加工可能情報のリストを送信するものであるが、その場合に限定されるものではない。例えば、加工情報供給機能３３は、放射線科情報システム（ＲＩＳ：Radiology Information System）からの情報に従った装置に加工可能情報のリストを送信してもよい。
【００７５】
図１５は、第１の実施形態に係る加工情報供給システム１を一部変形したシステム１´を示す。システム１´は、要求装置１１、加工情報供給装置１２、及びＲＩＳ１３を備える。なお、図１５において、図１に示す部材と同一部材には同一符号を付して説明を省略する。
【００７６】
ＲＩＳ１３は、処理部、記憶部、入力部、表示部、及び通信部を備える（図示省略）。ＲＩＳ１３は、多種の画像生成装置（図示省略）から（ＭＰＰＳ：Modality Performed Procedure Step）に従った画像生成の実施状況を示す情報を受け取り、加工情報供給装置１２の加工情報供給機能３３に送信する。
【００７７】
アンギオ装置が心臓再同期療法（ＣＲＴ：Cardiac Resynchronization Therapy）による医用画像データを生成する場合を考える。加工情報供給装置１２の加工情報供給機能３３は、図１６に示すテーブルから、心臓再同期療法がＩＤ「００１」に相当すると判断する。
【００７８】
加工情報供給装置１２の加工情報供給機能３３は、図１７に示すように、心臓再同期療法がＩＤ「００１」に相当する複数の医用画像データの生成順と、各医用画像データの生成元（画像生成装置の種別）と、その画像生成装置の機能と、医用画像データの利用場所（送信先）との情報を取得する。加工情報供給装置１２の加工情報供給機能３３は、ＲＩＳ１３から受け取った画像生成の実施状況が「未」である要求装置１１としてのアンギオ装置を、加工可能情報のリストの送信先と判断する。
【００７９】
加工情報供給装置１２の加工情報取得機能３２は、要求装置１１としてのアンギオ装置に、生成された加工情報のリストを供給する。アンギオ装置では、略リアルタイムで生成される透視像データに、心臓の３ＤＷＭＴによって超音波診断装置で既に生成されている超音波画像データを重畳する予定である。
【００８０】
以上説明したように、加工可能情報のリストの送信先を特定する方法によれば、第１〜第５の実施形態における効果に加え、医用画像データの生成の実施状況に従って特定された要求装置１１に加工可能情報のリストを予め送信することができる。
【００８１】
以上説明した少なくとも１つの実施形態によれば、医用情報の要求側で元医用情報の加工条件を指定可能にすることができる。
【００８２】
なお、上記実施形態において、「プロセッサ」という文言は、専用又は汎用のＣＰＵ（Central Processing Unit）又はＭＰＵ（Micro Processor Unit）の他、特定用途向け集積回路（ＡＳＩＣ：Application Specific Integrated Circuit）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等の回路が挙げられる。プロセッサは、記憶媒体に保存されたプログラムを読み出して実行することにより、各種機能を実現する。
【００８３】
また、上記実施形態では処理部の単一のプロセッサが各機能を実現する場合の例について示したが、複数の独立したプロセッサを組み合わせて処理部を構成し、各プロセッサが各機能を実現してもよい。また、プロセッサが複数設けられる場合、プログラムを記憶する記憶媒体は、プロセッサごとに個別に設けられてもよいし、１つの記憶媒体が全てのプロセッサの機能に対応するプログラムを一括して記憶してもよい。
【００８４】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８５】
１，１Ａ，１Ｃ，１Ｅ，１Ｇ，１´  加工情報供給システム
１１  要求装置
１２  加工情報供給装置
１２Ａ，１２Ｃ，１２Ｅ，１２Ｇ  管理装置
１２Ｂ，１２Ｄ  加工装置
１２Ｆ，１２Ｈ  画像処理装置
２１〜２１Ｈ  処理部
２２〜２２Ｈ  記憶部
３１  検索条件受取機能
３２  加工情報取得機能
３３  加工情報供給機能
３４  加工機能
【図１】
2019130039.tif 000003
【図２】
2019130039.tif 000004
【図３】
2019130039.tif 000005
【図４】
2019130039.tif 000006
【図５】
2019130039.tif 000007
【図６】
2019130039.tif 000008
【図７】
2019130039.tif 000009
【図８】
2019130039.tif 000010
【図９】
2019130039.tif 000011
【図１０】
2019130039.tif 000012
【図１１】
2019130039.tif 000013
【図１２】
2019130039.tif 000014
【図１３】
2019130039.tif 000015
【図１４】
2019130039.tif 000016
【図１５】
2019130039.tif 000017
【図１６】
2019130039.tif 000018
【図１７】
2019130039.tif 000019